(57)【要約】【課題】日常生活環境のなかにおいて、良好なマイナスイオンの放出を行う把手を提供する。【解決手段】外形が外殻部材４で形成され、この外殻部材４の内部に設けた収容空間９内にマイナスイオン発生物質１０が収容された把手であって、上記外殻部材４の主要部はステンレス鋼を用いて製作されているとともに、上記外殻部材４の収容空間９は外殻部材４の外部空間と連通性のない密封空間とされ、上記マイナスイオン発生物質１０からのマイナスイオンが放出される。このように日常生活においてたえず接触する把手にマイナスイオンの発生機能を持たせたので、人体に放出されるマイナスイオンにより、良好な健康状態が維持できる。また、マイナスイオン発生物質１０は密封空間に収容されているので、マイナスイオン発生機能が正常に発揮できる。【選択図】図１
2004116115.tif 000002
【特許請求の範囲】
【請求項１】
外形が外殻部材で形成され、この外殻部材の内部に設けた収容空間内にマイナスイオン発生物質が収容された把手であって、上記外殻部材の主要部はステンレス鋼を用いて製作されているとともに、上記外殻部材の収容空間は外殻部材の外部空間と連通性のない密封空間とされ、上記マイナスイオン発生物質からのマイナスイオンが放出されることを特徴とする把手。
【請求項２】
上記外殻部材がドアーのノブやハンドルを構成している請求項１記載の把手。
【請求項３】
上記外殻部材が把手として機能するときに外殻部材が変位動作をする請求項１または２記載の把手。
【請求項４】
上記外殻部材が各種の手すりや乗り物のアシストグリップ等を構成している請求項１記載の把手。
【請求項５】
上記マイナスイオン発生物質が炭素材である請求項１〜４のいずれか一項に記載の把手。
【発明の詳細な説明】
【０００１】
【発明の属する技術分野】
本発明は、マイナスイオン発生物質が収容された把手に関するものである。
【０００２】
【従来の技術】
本発明に関連の深い従来技術として、下記の特許文献１と特許文献２があげられる。特許文献１には、多数の通気穴を有するドアーのノブの中に樟脳，活性炭，シリカゲル等の機能性物質が収容され、殺菌，水分の吸収，悪臭の吸着等の機能を果たすことが開示されている。また、特許文献２には、透孔を有するプラスチック容器内にイオン化処理された硬質の炭素材が収容され、上記プラスチック容器から放出される負イオンを人体に有効に作用させることが開示されている。
【０００３】
【特許文献１】
特開平５−３３５３３号公報
【特許文献２】
特公平７−２３２０６号公報
【０００４】
【発明が解決しようとする課題】
しかしながら、特許文献１および２のいずれにおいても、ドアーのノブに多数の通気穴が形成されたり、プラスチック容器に透孔が形成されたりしているので、内部に収容された機能性物質や硬質の活性炭等が外部に漏れるおそれがあり、もし、漏れた場合には人手やノブ等の周囲を汚すことになる。また、このように通気穴や透孔があると、機能性物質や硬質の活性炭が外気や水分に直接接触するので、機能性物質の本来の機能やマイナスイオンの発生が低下するおそれがある。さらに、上記特許文献に記載された技術においては、ノブやプラスチック容器の構成材料の選定に関する配慮が十分につくされていない。
【０００５】
本発明は、このような事情に鑑みなされたもので、日常生活環境のなかにおいて、良好なマイナスイオンの放出を行う把手の提供を目的とする。
【０００６】
【課題を解決するための手段】
上記目的を達成するため、本発明の把手は、外形が外殻部材で形成され、この外殻部材の内部に設けた収容空間内にマイナスイオン発生物質が収容された把手であって、上記外殻部材の主要部はステンレス鋼を用いて製作されているとともに、上記外殻部材の収容空間は外殻部材の外部空間と連通性のない密封空間とされ、上記マイナスイオン発生物質からのマイナスイオンが放出されることを要旨とする。
【０００７】
すなわち、本発明の把手は、上記外殻部材の主要部はステンレス鋼を用いて製作されているとともに、上記外殻部材の収容空間は外殻部材の外部空間と連通性のない密封空間とされ、上記マイナスイオン発生物質からのマイナスイオンが放出されるのである。
【０００８】
上記のように、密封空間とされた収容空間にマイナスイオン発生物質が収容されているので、マイナスイオン発生物質が外部に漏洩することが確実に防止できる。また、マイナスイオン発生物質は、外部の空気や水等の流体に直接接触することがないので、マイナスイオン発生物質のマイナスイオン発生機能が低下するおそれがなく、長期にわたって当該物質を機能させることができる。
【０００９】
本発明の把手において、上記外殻部材がドアーのノブやハンドルを構成している場合には、上記ドアーのノブやハンドルは日常生活において接触する頻度が著しく高いので、人体がうけるマイナスイオンの量が多くなり、健康状態を良好に保つのに非常に有効である。
【００１０】
本発明の把手において、上記外殻部材が把手として機能するときに外殻部材が変位動作をする場合には、上記外殻部材の収容空間内に収容されているマイナスイオン発生物質が強制的に移動させられるので、同発生物質同士が摩擦現象を呈して、このときにマイナスイオンの放出量が増大する。したがって、人体がうけるマイナスイオンの量が一層多くなり、健康状態を良好に保つのに非常に有効である。
【００１１】
本発明の把手において、上記外殻部材が各種の手すりや乗り物のアシストグリップ等を構成している場合には、人の多い場所においてマイナスイオンが放出されるので、多数の人々の健康状態を良好に保つのに非常に有効である。また、乗り物、例えば、電車や自動車のアシストグリップのような場合には、走行中の振動でマイナスイオン発生物質が強制的に移動させられるので、同発生物質同士が摩擦現象を呈して、このときにマイナスイオンの放出量が増大する。したがって、人体がうけるマイナスイオンの量が一層多くなり、健康状態を良好に保つのに非常に有効である。
【００１２】
本発明の把手において、上記マイナスイオン発生物質が炭素材である場合には、炭素材が良好なマイナスイオンの発生特性を呈するので、人体がうけるマイナスイオンの量が一層多くなり、健康状態を良好に保つのに非常に有効である。
【００１３】
【発明の実施の形態】
つぎに、本発明の実施の形態を詳しく説明する。
【００１４】
図１は、本発明の把手の一実施の形態を示す。この把手は、ドアーのノブの場合である。ドアー１は、図１の紙面に対して垂直方向に延びているヒンジ軸線２を中心にして開閉する。ノブ３は、外形が外殻部材４で形成されており、この外殻部材４は、断面円形のテーパ型のカップ状の筒部５とその開放部を密封する平板状の端蓋６で構成されている。カップ状の筒部５の底部に軸７が結合されていて、ノブ３を回すとその回転変位が軸７からロック金具８に伝えられて、同金具８が進退するようになっている。
【００１５】
上記外殻部材４すなわち筒部５および端蓋６は、いずれもステンレス鋼で製作されている。外殻部材４の内部には収容空間９が設けられ、そのなかにマイナスイオン発生物質である炭素材１０が収容されている。炭素材１０は、マイナスイオンの発生量が多いとされている硬質の活性炭が好適であり、「くぬぎ」や「うばめがし」を原木とした備長炭が最適である。あるいは、このような備長炭や竹炭にマイナスイオン発生器等により負イオン化充電を行った炭素材１０を用いてもよい。このような炭素材１０を適当な大きさの片状もしくは粒状にして収容空間９のなかに多数充填した後、端蓋６を溶接し図示のように丸みのある研磨とバフ仕上げが施されている。符号１１は、溶接部を示している。
【００１６】
上記のようにして端蓋６を筒部５に溶接することにより、外殻部材４の収容空間９は外殻部材４の外部空間と連通性のない密封空間とされる。
【００１７】
図６は、上記のような密封構造のノブ３から放出されるマイナスイオンの放出量を、イオンテスターで測定した結果を示している。これは、ノブ３が回転される程度の変位動作すなわち弱振動の領域では、１ｃｃの空間中に約５０個のマイナスイオンが放出され、ドアー１を開ける時の急加速状態やドアー１がバタンと閉じたときの急減速状態すなわち強振動の領域では、１ｃｃの空間中に約２００個のマイナスイオンが放出されることが認められる。このようなノブ３の回転やドアー開閉の急加速や急減速により、内部の炭素材１０が強制的に撹拌されたような挙動を呈し、炭素材１０同士が摩擦現象をおこして、このときにマイナスイオンの放出量が増大する。したがって、人体がうけるマイナスイオンの量が一層多くなり、健康状態を良好に保つのに非常に有効である。
【００１８】
上記のように収容空間９内における炭素材１０の移動を促進するために、収容空間９内に入れる炭素材１０の量は、収容空間９の容積を下回るように設定されている。炭素材１０の量は、例えば、収容空間９の容積の８０〜９０％が適当である。なお、この炭素材１０の収容量は、把手に付与される振動の強さや把手の大きさ等により、適宜、変更されるものである。さらに、炭素材１０よりも比重の大きな材料でつくられている粒子を炭素材１０に混入しておくことにより、ノブ３を回転させたときに上記粒子が炭素材１０内にもぐり込むようにして移動するため、炭素材１０が活発に移動させられて、マイナスイオン放出が一層増大する。また、上記粒子の表面が適度にぎざぎざにされていることにより、炭素材１０の移動をより一層促進させることができる。
【００１９】
そして、ドアーのノブ３は日常生活で人が接触する機会の非常に多い部位であるから、人体がうけるマイナスイオンの量が一層多くなり、健康状態を良好に保つのに非常に有効である。また、上記のように、密封空間とされた収容空間９に炭素材１０が収容されているので、炭素材１０が微細化されても外部に漏洩することが確実に防止できる。また、炭素材１０は、外部の空気や水等の流体に直接接触することがないので、炭素材１０自体のマイナスイオン発生機能が低下するおそれがなく、長期にわたって炭素材１０を機能させることができる。
【００２０】
図２は、本発明の把手の第２の実施の形態を示す。この実施の形態は、図１と同様なドアーの開閉用のハンドルにマイナスイオン発生物質を封入した場合である。図２（Ａ）はドアー１を正面からみた部分的な正面図であり、ヒンジ軸線２を中心にして開閉する。
【００２１】
開閉用のハンドル１２は、ステンレス鋼で製作された外殻部材４を有し、この外殻部材４は、断面円形の真直ぐな筒部１３とその開放部を密封する平板状の端蓋１４で構成されている。筒部１３と端蓋１４との溶着や表面仕上げは、上記ノブ３の場合と同じである。筒部１３の上下にはアーム１５がそれぞれ結合され、筒部１３を引張るとアーム１５が回動してロック金具（図示していない）を動作させるようになっている。そのために、図２（Ｂ）に示すようにアーム１５の回動軸１６が配置してある。
【００２２】
上記筒部１３内には炭素材１０が収容されているのであるが、収容空間９が上下方向に細長い空間になっているので、所々に区画部材１７が配置してある。この区画部材１７は有底の筒型をしたカップ状のもので、プラスチックで成形され、外周部には多数の透孔１８があけられている。この区画部材１７に炭素材１０を充填し筒部１３の上から順次挿入して、炭素材１０を層状に配置し、最後に端蓋１４が溶接される。それ以外は、上記実施の形態と同様であり、同様の部分には同じ符号を付している。
【００２３】
このような長尺なハンドル１２の表面全域からマイナスイオンが放出されるので、その放出量が十分な量となり、人体がうけるマイナスイオンの量が一層多くなり、健康状態を良好に保つのに非常に有効である。また、区画部材１７を採用することにより、炭素材１０が沈下してきてもハンドル１２の長さ全域におけるマイナスイオンの放出が損なわれることがない。それ以外は、上記実施の形態と同様の作用効果を奏する。
【００２４】
なお、この実施の形態において、筒部１３内に大きな棒状の炭素材１０を封入するような場合には、上記区画部材１７を止めることも可能である。また、アーム１５をステンレス鋼でつくり、その内部に炭素材１０を封入することも可能である。
【００２５】
図３は、本発明の把手の第３の実施の形態を示す。この実施の形態は、階段の手すりに本発明を適用した場合である。階段１９の手すり２０を形成する外殻部材４は、ステンレス鋼製のパイプ材２１でつくられており、そのなかの収容空間９に炭素材１０が充填されている。また、図３（Ｃ）は、手すり２０の全域に炭素材１０を収容するのではなく、パイプ材２１内にしきり板２２を所定区間ごとに配置し、炭素材１０を一定間隔で配置したものである。それ以外は、上記各実施の形態と同様であり、同様の部分には同じ符号を付している。
【００２６】
階段のように大勢の人々が利用する場所においてマイナスイオンが放出されるので、多数の人々の健康状態を良好に保つのに非常に有効である。それ以外は、上記各実施の形態と同様の作用効果を奏する。
【００２７】
図４は、本発明の把手の第４の実施の形態を示す。この実施の形態は、電車のアシストグリップに本発明を適用した場合である。乗降口の開閉ドアー２３が車両の側壁２４内に進退して開閉するようになっている。アシストグリップ２５は側壁２４の内面に固定されており、このアシストグリップ２５がステンレス鋼製のパイプ材でつくられており、その内部に炭素材１０が充填されている。それ以外は、上記各実施の形態と同様であり、同様の部分には同じ符号を付している。
【００２８】
電車のように大勢の人々が利用する場所においてマイナスイオンが放出されるので、多数の人々の健康状態を良好に保つのに非常に有効である。また、走行中の振動で炭素材１０が強制的に移動させられるので、炭素材１０同士が摩擦現象を呈して、このときにマイナスイオンの放出量が増大する。したがって、人体がうけるマイナスイオンの量が一層多くなり、健康状態を良好に保つのに非常に有効である。それ以外は、上記各実施の形態と同様の作用効果を奏する。
【００２９】
なお、この実施の形態においても、図２（Ｃ）に示したような区画部材１７を採用すると、走行振動をうけても炭素材１０の配置分布を良好に保つことができる。さらに、自動車の室内に配置されたアシストグリップに本発明を適用することもできる。また、電車の吊り革のリング内に炭素材を収容することも可能である。
【００３０】
図５は、本発明の把手の第５の実施の形態を示す。この実施の形態は、浴槽２６の内壁に取付けたアシストグリップ２７の場合であり、その内部構造は図２（Ｃ）や図４に示したものと同様である。それ以外は、上記各実施の形態と同様であり、同様の部分には同じ符号を付している。
【００３１】
このようにリラックスした状態の入浴中にマイナスイオンの放出がうけられるので、疲労回復や健康状態を良好に保つのに非常に有効である。マイナスイオンの発生状態は、酸化還元電位を測定（白金電極法を用いた）することにより把握することができる。図５のような浴槽の場合においては、浴槽中のお湯の酸化還元電位が＋５６０ｍＶであり、普通の水道水の当該電位＋６００〜７００ｍＶに比べると、浴中のマイナスイオンが大幅に増量していることが認められる。それ以外は、上記各実施の形態と同様の作用効果を奏する。
【００３２】
上記第５の実施の形態において、アシストグリップ２７を浴槽の内壁に取り付ける部分に、可動機構を採用することが望ましい。この可動機構としてはいろいろな形式のものが採用できるが、その一例としては、アシストグリップ２７の端部に同グリップ２７の長手方向に沿った枢軸を設け、この枢軸を中心にしてアシストグリップ２７全体が、例えば、３０度の角度範囲で揺動できる構造とする。あるいは、アシストグリップ２７の端部にゴムのような弾性部材を配置して、上記の場合と同様な揺動を行なわせる構造とする。上記のような可動構造により、入浴している人が浴槽に出入するときや入浴中にアシストグリップ２７を揺動させると、内部の炭素材１０が強制的に移動させられるので、炭素材１０同士が摩擦現象を呈して、このときにマイナスイオンの放出量が増大する。したがって、人体がうけるマイナスイオンの量が一層多くなり、健康状態を良好に保つのに非常に有効なものとなる。
【００３３】
なお、上記の実施の形態で示した各種の把手以外に、机やたんす等の家具の引出しや扉に取付けた把手、あるいは各種電化製品、例えば、冷蔵庫の把手を対象にして、本発明を実施することもできる。
【００３４】
また、上述の実施の形態においては、マイナスイオン発生物質として炭素材を用いているが、マイナスイオン発生機能のある物質であれば、適宜、他の物質におきかえることが可能であり、例えば、トルマリンを使用することもできる。
【００３５】
さらに、上記各実施の形態は、外殻部材４全体がステンレス鋼で構成されているものであるが、マイナスイオンを放出させる主要部の箇所だけをステンレス鋼で製作し、他の箇所を別の材料で構成することもできる。こうすることにより、原価の低減等が行なえるのである。
【００３６】
【発明の効果】
以上のように、本発明の把手によれば、密封空間とされた収容空間にマイナスイオン発生物質が収容されているので、マイナスイオン発生物質が外部に漏洩することが確実に防止できる。また、マイナスイオン発生物質は、外部の空気や水等の流体に直接接触することがないので、マイナスイオン発生物質のマイナスイオン発生機能が低下するおそれがなく、長期にわたって当該物質を機能させることができる。
【図面の簡単な説明】
【図１】本発明の一実施の形態の把手を示す平面図である。
【図２】第２の実施の形態を示し、（Ａ）ドアーの部分的な正面図、（Ｂ）は（Ａ）の〔Ｂ〕−〔Ｂ〕断面図、（Ｃ）はハンドルの断面図である。
【図３】第３の実施の形態を示し、（Ａ）は階段の全体図、（Ｂ）は手すりの断面図，（Ｃ）は変形例の断面図である。
【図４】第４の実施の形態を示す斜視図である。
【図５】第５の実施の形態を示す斜視図である。
【図６】マイナスイオンの発生状態を示す線図である。
【符号の説明】
１　　　ドアー
２　　　ヒンジ軸線
３　　　ノブ
４　　　外殻部材
５　　　筒部
６　　　端蓋
７　　　軸
８　　　ロック金具
９　　　収容空間
１０　　炭素材
１１　　溶接部
１２　　ハンドル
１３　　筒部
１４　　端蓋
１５　　アーム
１６　　回動軸
１７　　区画部材
１８　　透孔
１９　　階段
２０　　手すり
２１　　パイプ材
２２　　しきり板
２３　　開閉ドアー
２４　　側壁
２５　　アシストグリップ
２６　　浴槽
２７　　アシストグリップ
【図１】
2004116115.tif 000003
【図２】
2004116115.tif 000004
【図３】
2004116115.tif 000005
【図４】
2004116115.tif 000006
【図５】
2004116115.tif 000007
【図６】
2004116115.tif 000008